(57)【要約】【課題】ユーザの利便性を向上させた着物販売支援装置、着物販売支援方法およびプログラムを提供する。【解決手段】着物販売支援装置１は、反物の一端から他端までの全体画像を含む反物情報を記憶する反物ＤＢ１３１と、反物情報を用いて、反物の柄の種別である反物種別を特定する反物種別特定部１１２と、反物種別に基づいて、反物から着物を作製する場合の反物の裁断位置を決定する裁断位置決定部１１５と、反物種別に基づいて、反物から着物を作製する場合の反物の縫製位置を決定する縫製位置決定部１１６と、を備える。【選択図】図４
2020052729.tif 000002
【特許請求の範囲】
【請求項１】
反物の一端から他端までの全体画像を含む反物情報を記憶する反物情報記憶部と、
前記反物情報を用いて、前記反物の柄の種別である反物種別を特定する反物種別特定部と、
前記反物種別に基づいて、前記反物から着物を作製する場合の前記反物の裁断位置を決定する裁断位置決定部と、
前記反物種別に基づいて、前記反物から着物を作製する場合の前記反物の縫製位置を決定する縫製位置決定部と、を備える、
着物販売支援装置。
【請求項２】
前記反物種別特定部は、前記反物情報に含まれる前記反物の全体画像を構成する複数の画素それぞれの画素値に基づいて、前記反物種別を特定する、
請求項１に記載の着物販売支援装置。
【請求項３】
前記反物種別特定部は、前記複数の画素それぞれの画素値の標準偏差に基づいて、前記反物種別を特定する、
請求項２に記載の着物販売支援装置。
【請求項４】
前記反物情報は、特徴的な図柄を含む反物の全体画像を含み、
前記裁断位置決定部は、前記特徴的な図柄の位置に基づいて、前記裁断位置を決定する、
請求項１から３のいずれか１項に記載の着物販売支援装置。
【請求項５】
前記反物情報記憶部は、複数の反物情報を記憶し、
前記裁断位置を示す裁断位置情報および前記縫製位置を示す縫製位置情報を記憶する裁断縫製情報記憶部と、
少なくとも顧客のサイズを示すサイズ情報を含む顧客情報を取得する顧客情報取得部と、
前記反物情報記憶部が記憶する前記複数の反物情報の中から少なくとも１つの反物情報を選出する反物選出部と、
前記少なくとも１つの反物情報と、前記裁断位置決定部が決定した前記少なくとも１つの反物情報それぞれに対応する裁断位置と、前記縫製位置決定部が決定した前記少なくとも１つの反物情報それぞれに対応する縫製位置と、に基づいて、前記少なくとも１つの反物情報それぞれに対応する反物から着物を作製した場合の着物のイメージを示す着物イメージ情報を生成する着物イメージ生成部と、を更に備える、
請求項１から４のいずれか１項に記載の着物販売支援装置。
【請求項６】
前記顧客情報は、更に、顧客の希望する着物の属性を示す属性情報を含み、
前記反物選出部は、前記属性情報に基づいて、前記少なくとも１つの反物情報を選出する、
請求項５に記載の着物販売支援装置。
【請求項７】
前記反物情報記憶部は、前記反物情報を、対応する着物の用途を示す用途情報および対応する着物の着用季節を示す着用季節情報に対応づけて記憶し、
前記顧客情報は、着物の用途情報および着用季節情報を含み、
前記反物選出部は、前記顧客情報に含まれる用途情報および着用季節情報に基づいて、前記少なくとも１つの反物情報を選出する、
請求項５または６に記載の着物販売支援装置。
【請求項８】
前記反物情報記憶部は、前記反物情報を、第１拠点における在庫状況を示す第１在庫情報を対応づけて記憶し、
着物を発注する発注情報を受信すると、前記第１在庫情報に基づいて、発注された着物を作製するための反物の在庫状況を判定する在庫判定部と、
前記在庫判定部により前記第１拠点において発注された着物を作製するための反物の在庫が無いと判定されると、前記第１拠点とは異なる第２拠点における在庫状況を示す第２在庫情報を取得する在庫情報取得部と、
前記第１在庫情報および前記第２在庫情報に基づいて、前記着物の発注元への前記着物の納品スケジュールを生成するスケジュール生成部と、を更に備える、
請求項１から７のいずれか１項に記載の着物販売支援装置。
【請求項９】
反物の一端から他端までの全体画像を含む反物情報を用いて、前記反物の柄の種別である反物種別を特定するステップと、
前記反物種別に基づいて、前記反物から着物を作製する場合の前記反物の裁断位置を示す裁断位置を決定するステップと、
前記反物種別に基づいて、前記反物から着物を作製する場合の前記反物の縫製位置を示す縫製位置を決定するステップと、を含む、
着物販売支援方法。
【請求項１０】
コンピュータを、
反物の一端から他端までの全体画像を含む反物情報を用いて、前記反物の柄の種別である反物種別を特定する反物種別特定部、
前記反物種別に基づいて、前記反物から着物を作製する場合の前記反物の裁断位置を示す裁断位置を決定する裁断位置決定部、
前記反物種別に基づいて、前記反物から着物を作製する場合の前記反物の縫製位置を示す縫製位置を決定する縫製位置決定部、
として機能させるためのプログラム。
【発明の詳細な説明】
【技術分野】
【０００１】
本発明は、着物販売支援装置、着物販売支援方法およびプログラムに関する。
【背景技術】
【０００２】
和服用反物の一端から他端までの全体画像を読み込んで入力する反物用スキャナと、和服用反物から仕立てる和服を構成する各パーツの裁断パターンとこの裁断パターンでの各パーツの配置および模様の合わせ状態とに基づいて、仕立て上がり状態の画像を生成して表示する和服販売装置と、を備える和服用反物の流通システムが提案されている（例えば特許文献１参照）。和服販売装置は、和服反物から仕立てる和服を構成する各パーツの裁断パターンおよび各パーツの和服用反物への初期配置状態を記憶する初期情報記憶手段と、反物画像上の各パーツの配置状態をポインティングデバイス等の入力装置を用いて修正する配置修正手段と、を備える。
【先行技術文献】
【特許文献】
【０００３】
【特許文献１】特開２００７−２２６４６６号公報
【発明の概要】
【発明が解決しようとする課題】
【０００４】
しかしながら、特許文献１に記載された和服用反物の流通システムでは、新たに反物の各パーツの裁断パターンと初期配置状態とを初期情報記憶手段に記憶させる場合、その都度、ユーザが新たな反物の模様を確認しながら各パーツの裁断パターンと初期配置状態とを決定する作業が生じる。このため、ユーザの作業負担が大きくユーザが不便に感じる虞があった。
【０００５】
本発明は、上記事由に鑑みてなされたものであり、ユーザの利便性を向上させた着物販売支援装置、着物販売支援方法およびプログラムを提供することを目的とする。
【課題を解決するための手段】
【０００６】
上記目的を達成するために、本発明に係る着物販売支援装置は、
反物の一端から他端までの全体画像を含む反物情報を記憶する反物情報記憶部と、
前記反物情報を用いて、前記反物の柄の種別である反物種別を特定する反物種別特定部と、
前記反物種別に基づいて、前記反物から着物を作製する場合の前記反物の裁断位置を決定する裁断位置決定部と、
前記反物種別に基づいて、前記反物から着物を作製する場合の前記反物の縫製位置を決定する縫製位置決定部と、を備える。
【発明の効果】
【０００７】
本発明によれば、裁断位置決定部が、反物の柄の種別である反物種別に基づいて、反物から着物を作製する場合の反物の裁断位置を決定し、縫製位置決定部が、前述の反物種別に基づいて、反物から着物を作製する場合の反物の縫製位置を決定する。これにより、反物の一端から他端までの全体画像から反物の柄の種別に基づいて、その反物の裁断位置および縫製位置が決まるので、ユーザ自らが反物の柄を確認しながらその反物の裁断位置および縫製位置を決定する作業が省かれる。従って、ユーザの作業負担が軽減されるので、その分、ユーザの利便性が向上する。
【図面の簡単な説明】
【０００８】
【図１】本発明の実施の形態に係る着物販売支援システムを示す概略図である。
【図２】実施の形態に係る反物用スキャナの概略構成図である。
【図３】（Ａ）は反物から作製される着物の各パーツの位置および裁断位置を示す図であり、（Ｂ）は反物から作製された着物を後方から見た場合の各パーツの位置および縫製位置を示す図であり、（Ｃ）は反物から作製された着物を前方から見た場合の各パーツの位置および縫製位置を示す図である。
【図４】実施の形態に係る着物販売支援装置の構成を示すブロック図である。
【図５】（Ａ）は、実施の形態に係る反物データベースの内容を示す図であり、（Ｂ）は、実施の形態に係る裁断縫製データベースの内容を示す図である。
【図６】（Ａ）は「追い裁ち」になるように作製された着物の一例を示す図であり、（Ｂ）は「逆きじ」になるように作製された着物の一例を示す図である。
【図７】（Ａ）は「横柄合わせ」になるように作製された着物の一例を示す図であり、（Ｂ）は「市松模様」になるように作製された着物の一例を示す図である。
【図８】（Ａ）は特徴柄が上側になるように作製された着物の一例を示す図であり、（Ｂ）は特徴柄が下側になるように作製された着物の一例を示す図である。
【図９】実施の形態に係る着物販売支援システムの動作を示すシーケンス図である。
【図１０】実施の形態に係る着物販売支援システムの動作を示すシーケンス図である。
【図１１】実施の形態に係る着物販売支援装置が実行する着物販売支援処理の流れの一例を示すフローチャートである。
【図１２】実施の形態に係る着物販売支援装置が実行する着物販売支援処理の流れの一例を示すフローチャートである。
【発明を実施するための形態】
【０００９】
以下、本発明の一実施の形態に係る着物販売支援システムについて図面を参照して詳細に説明する。
【００１０】
本実施の形態に係る着物販売支援システムは、着物販売支援装置と、着物販売支援装置とネットワークを介して接続された端末装置と、を備える。着物販売支援装置は、反物情報記憶部と反物種別特定部と裁断位置決定部と縫製位置決定部とを備える。反物情報記憶部は、反物の一端から他端までの全体画像を含む反物情報を記憶する。反物種別特定部は、反物情報を用いて、反物の柄の種別である反物種別を特定する。裁断位置決定部は、反物種別に基づいて、反物から着物を作製する場合の反物の裁断位置を決定する。縫製位置決定部は、反物種別に基づいて、反物から着物を作製する場合の反物の縫製位置を決定する。即ち、着物販売支援装置は、反物の全体画像から反物の種別を特定し、特定した反物の種別に応じてその反物に適した裁断位置および縫製位置を決定するというものである。
【００１１】
着物販売支援システムは、例えば図１に示すように、着物の仕立業者顧客が所有する着物販売支援装置１と、着物を購入しようとする顧客が所有する端末装置２と、反物を販売する全国各地の小売店が所有する端末装置４と、を備える。端末装置２は、例えばスマートフォンであり、表示部２ａを備える。着物販売支援装置１および端末装置４は、例えば通信機能を備えた汎用のパーソナルコンピュータである。着物販売支援装置１と端末装置２、４とは、互いにネットワークＮＴを介して接続されている。ネットワークＮＴには、ＬＡＮ（Local Area Network）およびインターネットが含まれる。反物を販売する小売店では、端末装置４が仕立業者の所有する着物販売支援装置１から在庫確認情報を受信すると、小売店のユーザは、在庫確認情報に係る反物の在庫を確認し、在庫がある場合には、在庫確認情報に係る反物を仕立業者へ発送する。そして、仕立業者では、小売店から反物を受け取ると、受け取った反物で着物を作製して顧客へ納品する。
【００１２】
着物販売支援装置１には、小売店から預かった反物の一端から他端までの全体画像を読み込む反物用スキャナ３が接続されている。この反物用スキャナ３は、例えば図２に示すように、反物Ｔを供給する供給ローラ３１と、反物Ｔを回収する回収ローラ３２と、反物Ｔを撮像するカメラ３３と、カメラ３３の撮像領域において反物Ｔを挟持するローラ３５と、回収ローラ３２を駆動するモータ（図示せず）およびカメラ３３を制御する制御部３４と、を有する。そして、制御部３４は、カメラ３３により撮像された反物の一端から他端までの全体画像を示す全体画像情報を着物販売支援装置１へ送信する。この反物用スキャナ３は、例えば、仕立業者に属するユーザが、小売店から預かった反物を反物用スキャナ３にセットしてから預かった反物の属性情報、預かった反物Ｔから作製される着物の用途を示す用途情報、および、預かった反物Ｔから作製される着物の着用季節を示す着用季節情報を着物販売支援装置１へ入力する操作を行うと、反物の撮像を開始する。ここで、属性情報は、例えば文様情報と機能情報と品質情報とを含む。文様情報は、反物の文様の種類（風景文様、器物文様等）、文様の位置（総模様、絵羽模様等）および文様の流れ（原始文様、法隆寺裂等）を示す情報である。機能情報は、撥水撥油・防汚加工の可否、シワ対応生地、速乾性生地を使用しているか否か、水洗いの可否、リバーシブルであるか否か等の反物生地の機能を示す情報である。ここで、「リバーシブル」とは、反物Ｔの表側および裏側のいずれを着物の表側にしてもよいことを意味する。品質情報は、シミの有無、傷の有無等の反物の品質を示す情報である。また、用途情報は、例えば第一礼装、準礼装、略礼装等の用途名称を示す情報である。
【００１３】
ここで、反物と反物から作製される着物のパーツとの関係を図３を参照しながら説明する。図３（Ａ）に示すように、反物Ｔから袖Ｐ１、Ｐ２、前身頃Ｐ３、Ｐ６、後身頃Ｐ４、Ｐ５、衽Ｐ７、Ｐ８、衿Ｐ９、共衿Ｐ１０に相当するパーツを切り出す。図３（Ａ）における実線部分が裁断位置に相当する。ここで、前身頃Ｐ３と後身頃Ｐ４とは、肩山Ｐ０１で連続し、前身頃Ｐ６と後身頃Ｐ５とは、肩山Ｐ０２で連続している。後身頃Ｐ４、Ｐ５は、図３（Ｂ）に示すように、背縫部分ＳＥ１で互いに縫い合わされている。また、後身頃Ｐ４における背縫部分ＳＥ１とは反対側の端部と前身頃Ｐ３とは、図３（Ａ）および（Ｂ）に示すように、脇縫部分ＳＥ２１で互いに縫い合わされている。同様に、後身頃Ｐ５における背縫部分ＳＥ１とは反対側の端部と前身頃Ｐ６とも、脇縫部分ＳＥ２２で互いに縫い合わされている。衽Ｐ７は、衽縫部分ＳＥ３１により前身頃Ｐ３に縫い付けられ、衽Ｐ８も、衽縫部分ＳＥ３２により前身頃Ｐ６に縫い付けられている。また、前身頃Ｐ３、Ｐ６における肩山Ｐ０１、Ｐ０２とは反対側の端部には、前身頃Ｐ３、Ｐ６の端部を内側に織り込んだ状態で縫い付けられた裾縫部分ＳＥ５が形成されている。また、衽Ｐ７、Ｐ８における肩山Ｐ０１、Ｐ０２側とは反対側の端部にも、衽Ｐ７、Ｐ８の端部を内側に織り込んだ状態で縫い付けられた衽下縫部分ＳＥ４が形成されている。衿Ｐ９および共衿Ｐ１０は、衿付け縫部分ＳＥ６により前身頃Ｐ３、Ｐ６および後身頃Ｐ４、Ｐ５に縫い付けられている。
【００１４】
着物販売支援装置１は、図４に示すように、ＣＰＵ（Central Processing Unit）１１と主記憶部１２と補助記憶部１３と入力部１４とインタフェース１５と通信部１６と各部を接続するバス１９とを備える。主記憶部１２は、ＲＡＭ（Random Access Memory）のような揮発性メモリから構成され、ＣＰＵ１１の作業領域として使用される。補助記憶部１３は、磁気ディスク、半導体メモリ等の不揮発性メモリから構成され、着物販売支援装置１の各種機能を実現するためのプログラムを記憶する。通信部１６は、ネットワークＮＴに接続される通信インタフェースを有する。入力部１４は、キーボード、タッチパネル等であり、ユーザが入力する各種操作情報を受け付けて、受け付けた操作情報をＣＰＵ１１へ出力する。インタフェース１５は、例えばＵＳＢ（Universal Serial Bus）インタフェースであり、反物用スキャナ３から入力される画像情報を主記憶部１２へ出力する。
【００１５】
この着物販売支援装置１では、ＣＰＵ１１が、補助記憶部１３が記憶するプログラムを主記憶部１２に読み込んで実行することにより、反物情報生成部１１１、反物種別特定部１１２、顧客情報取得部１１３、反物選出部１１４、裁断位置決定部１１５、縫製位置決定部１１６、着物イメージ生成部１１７、送信部１１８、発注情報取得部１１９、在庫判定部１２０、在庫情報取得部１２１およびスケジュール生成部１２２として機能する。また、補助記憶部１３は、反物データベース（以下、「ＤＢ」と称する。）１３１と、裁断縫製ＤＢ１３２と、パーツ着物対応関係ＤＢ１３３と、着物イメージＤＢ１３４と、顧客ＤＢ１３５と、を有する。
【００１６】
反物ＤＢ１３１は、図５（Ａ）に示すように、複数の反物それぞれに対応する反物情報を記憶する反物情報記憶部である。各反物情報は、反物Ｔの一端から他端までの全体画像を示す画像情報と識別情報とを含んでいる。ここで、反物ＤＢ１３１は、複数の反物情報それぞれを、それらに対応する反物Ｔの属性情報に対応づけて記憶する。属性情報には、文様情報、機能情報および品質情報が含まれる。図５（Ａ）に示すように、例えば反物識別情報「ＩＤ１」の反物情報には、模様の種類が風景文様であり、模様の配置が総模様であり、その他原始文様、法隆寺裂等の文様の流れの別を示す情報等を含む文様情報「ＤＡＰ１」と、撥水加工可能であることを示す機能情報「ＤＡＦ１」と、が対応づけられている。また、例えば反物識別情報「ＩＤ２」の反物情報には、無地であることを示す文様情報「ＤＡＦ０」と、撥水加工可能であり且つリバーシブルであることを示す機能情報「ＤＡＦ２」とともに、反物Ｔの一部にシミがあることを示す品質情報「ＤＡＱ１」が対応づけられている。反物ＤＢ１３１は、複数の反物情報それぞれを、それらに対応する反物Ｔから作製される着物の用途を示す用途情報に対応づけて記憶している。また、反物ＤＢ１３１は、複数の反物情報それぞれを、それらに対応する反物Ｔから作製される着物の着用季節を示す着用季節情報に対応づけて記憶している。更に、反物ＤＢ１３１は、複数の反物情報それぞれを、それらから作製可能な着物のサイズを示すサイズ情報に対応づけて記憶している。また、反物ＤＢ１３１は、複数の反物情報それぞれを、それらの仕立業者の倉庫または工場（第１拠点）における在庫状況を示す在庫情報（第１在庫情報）に対応づけて記憶している。更に、反物ＤＢ１３１は、複数の反物情報それぞれについての柄の種別を示す反物種別情報も記憶している。
【００１７】
裁断縫製ＤＢ１３２は、図５（Ｂ）に示すように、反物Ｔの裁断位置を示す裁断位置情報と反物Ｔから着物を作製する場合の縫製位置を示す縫製位置情報とを、反物Ｔの柄の種別を示す反物種別識別情報に対応づけて記憶している裁断縫製情報記憶部である。ここで、反物種別識別情報ＩＤＴ１は、反物Ｔがいわゆる無地である場合に対応しており、１種類の縫製位置情報ＤＡＳ０が対応付けられている。反物種別識別情報ＩＤＴ２は、反物Ｔがいわゆる縦方向の柄である場合に対応しており、複数種類の縫製位置情報ＤＡＳ１１、ＤＡＳ１２が対応付けられている。縫製位置情報ＤＡＳ１１は、例えば図６（Ａ）に示すように、着物の袖Ｐ１、Ｐ２、前身頃Ｐ３、Ｐ６等の柄ＰＡ１の位置が、全て図６（Ａ）における右側に偏っているいわゆる「追い裁ち」柄となるような縫製位置を示している。また、縫製位置情報ＤＡＳ１２は、例えば図６（Ｂ）に示すように、着物の袖Ｐ１、前身頃Ｐ３等の柄ＰＡ１の位置が図６（Ｂ）における左側に偏り着物の袖Ｐ２、前身頃Ｐ６等の柄ＰＡ１の位置が図６（Ｂ）における右側に偏っているいわゆる「逆きじ」柄となるような縫製位置を示している。
【００１８】
また、反物種別識別情報ＩＤＴ３は、反物Ｔがいわゆる横方向の柄である場合に対応しており、複数種類の縫製位置情報ＤＡＳ２１、ＤＡＳ２２が対応付けられている。縫製位置情報ＤＡＳ２１は、例えば図７（Ａ）に示すように、着物の袖Ｐ１、Ｐ２、前身頃Ｐ３、Ｐ６等の柄ＰＡ２の位置が、図７（Ａ）の左右方向において揃っているいわゆる「横柄合わせ」となるような縫製位置を示している。また、縫製位置情報ＤＡＳ２２は、例えば図７（Ｂ）に示すように、着物の袖Ｐ１、Ｐ２、前身頃Ｐ３、Ｐ６等の柄ＰＡ２の位置が図７（Ｂ）における左右方向で揃っていないいわゆる「市松模様」となるような縫製位置を示している。更に、反物種別識別情報ＩＤＴ４は、反物Ｔがいわゆる特徴的な図柄を含む場合に対応しており、複数種類の裁断位置情報ＤＡＣ２１、ＤＡＣ２２が対応付けられている。裁断位置情報ＤＡＣ２１は、例えば図８（Ａ）に示すように、着物の前身頃Ｐ３、Ｐ６等の特徴的な柄ＰＡ３の位置が、図８（Ａ）における上側となる裁断位置を示している。また、裁断位置情報ＤＡＣ２２は、例えば図８（Ｂ）に示すように、着物の前身頃Ｐ３、Ｐ６等の特徴的な柄ＰＡ３の位置が図８（Ｂ）における下側となるような裁断位置を示している。
【００１９】
図４に戻って、パーツ着物対応関係ＤＢ１３３は、反物Ｔの状態における複数のパーツ、即ち、袖Ｐ１、Ｐ２、前身頃Ｐ３、Ｐ６、後身頃Ｐ４、Ｐ５、衽Ｐ７、Ｐ８、衿Ｐ９、共衿Ｐ１０それぞれにおける代表的な位置の座標情報と、着物の状態における各パーツの代表的な位置の座標情報と、の対応関係を示す情報を記憶する。
【００２０】
着物イメージＤＢ１３４は、反物情報から生成された着物のイメージを示す着物イメージ情報を記憶する。顧客ＤＢ１３５は、顧客が端末装置２を介して着物販売支援装置１へ送信してきた顧客情報を記憶する。また、顧客ＤＢ１３５は、端末装置２から取得した発注情報を記憶する。
【００２１】
反物情報生成部１１１は、反物用スキャナ３から入力され主記憶部１２に転送された反物Ｔの一端から他端までの全体画像を示す全体画像情報を取得する。そして、反物情報生成部１１１は、全体画像情報を含む反物情報を生成し、生成した反物情報を、対応する反物Ｔの属性情報、用途情報および着用季節情報に対応づけて反物ＤＢ１３１に記憶させる。
【００２２】
反物種別特定部１１２は、反物情報に含まれる反物Ｔの全体画像を構成する複数の画素それぞれの画素値に基づいて、反物種別を特定する。具体的には、反物種別特定部１１２は、複数の画素それぞれの画素値の標準偏差に基づいて、反物種別を特定する。また、反物種別特定部１１２は、反物Ｔが無地でないと判別すると、反物Ｔの柄が縦方向柄または横方向柄であるか否かを判別する。ここで、反物種別特定部１１２は、例えば反物Ｔの長手方向に予め設定された距離だけ離間した２つの部分の画素値に基づいて、反物Ｔの長手方向における画素値の相関の度合を示す長手方向相関値を算出する。また、反物種別特定部１１２は、反物Ｔの幅方向に予め設定された距離だけ離間した２つの部分の画素値に基づいて、反物Ｔの幅方向における画素値の相関の度合を示す幅方向相関値を算出する。そして、反物種別特定部１１２は、算出した長手方向相関値と幅方向相関値とに基づいて、反物Ｔが縦方向柄または横方向柄であるか否かを判別して、反物Ｔの種別を特定する。
【００２３】
顧客情報取得部１１３は、端末装置２から着物閲覧要求情報を受信すると、顧客情報の送信を要求する顧客情報要求情報を端末装置２へ送信して、端末装置２から顧客情報を取得する。ここで、顧客情報には、顧客の身長および身体の各部分のサイズを示すサイズ情報、顧客の所望する着物の属性を示す属性情報、着物の用途を示す用途情報、および着物の着用季節を示す着用季節情報等が含まれる。属性情報には、文様情報、機能情報および品質情報が含まれる。
【００２４】
反物選出部１１４は、反物ＤＢ１３１が記憶する複数の反物情報の中から少なくとも１つの反物情報を選出する。反物選出部１１４は、端末装置２から取得した顧客情報に含まれる顧客のサイズ情報、属性情報、用途情報、着用季節情報に基づいて、少なくとも１つの反物Ｔに対応する反物情報を選出する。
【００２５】
裁断位置決定部１１５は、裁断縫製ＤＢ１３２が記憶する裁断位置情報を参照して、反物種別に基づいて、反物Ｔから着物を作製する場合の反物Ｔの裁断位置を決定する。また、裁断位置決定部１１５は、反物情報が特徴的な図柄を含む反物の全体画像を含む場合、その特徴的な図柄の位置に基づいて、裁断位置を決定する。裁断位置決定部１１５は、決定した裁断位置に基づいて、反物Ｔの状態における複数のパーツそれぞれの位置を示す座標情報を生成してパーツ着物対応関係ＤＢ１３３に記憶させる。
【００２６】
縫製位置決定部１１６は、裁断縫製ＤＢ１３２が記憶する縫製位置情報を参照して、反物種別に基づいて、反物Ｔから着物を作製する場合の反物Ｔの縫製位置を決定する。具体的には、縫製位置決定部１１６は、反物Ｔの全体画像における縫製位置の座標を決定する。また、縫製位置決定部１１６は、裁断縫製ＤＢ１３２が記憶する縫製位置情報を参照して縫製位置を決定した後、顧客情報に含まれるサイズ情報に基づいて、縫製位置を修正する。具体的には、縫製位置決定部１１６は、反物Ｔの全体画像における縫製位置の座標を修正する。縫製位置決定部１１６は、決定した裁断位置に基づいて、反物Ｔの状態における複数のパーツそれぞれの代表的な位置の座標情報に対応する、着物の状態における複数のパーツそれぞれの位置を示す座標情報を生成してパーツ着物対応関係ＤＢ１３３に記憶させる。
【００２７】
着物イメージ生成部１１７は、裁断位置決定部１１５により決定された裁断位置および縫製位置決定部１１６により決定された縫製位置に基づいて、少なくとも１つの反物情報それぞれに対応する反物から着物を作製した場合の着物のイメージを示す着物イメージ情報を生成する。
【００２８】
発注情報取得部１１９は、顧客が所有する端末装置２から発注情報を取得する。発注情報取得部１１９は、生成した発注情報を顧客ＤＢ１３５に記憶させる。
【００２９】
在庫判定部１２０は、仕立業者における発注情報に対応する反物Ｔの在庫の有無を判定する。具体的には、在庫判定部１２０は、反物ＤＢ１３１が記憶する在庫情報に基づいて、発注された着物を作製するための反物の仕立業者における在庫状況を判定する。
【００３０】
在庫情報取得部１２１は、在庫判定部１２０により第１拠点において発注された着物を作製するための反物の在庫が無いと判定されると、前記第１拠点とは異なる第２拠点における在庫状況を示す第２在庫情報を取得する。
【００３１】
スケジュール生成部１２２は、第１在庫情報および前記第２在庫情報に基づいて、前記着物の発注元への着物の納品スケジュールを示す納品スケジュール情報を生成する。受信した在庫情報に基づいて、反物Ｔから作製される着物の顧客への納品スケジュールを示す納品スケジュール情報を生成する。
【００３２】
送信部１１８は、着物イメージ生成部１１７が生成した着物イメージ情報を、顧客が所有する端末装置２へ送信する。また、送信部１１８は、顧客情報取得部１１３が生成した顧客情報要求情報を端末装置２へ送信する。更に、送信部１１８は、在庫情報取得部１２１が生成した在庫確認情報を、小売店が所有する端末装置４へ送信する。また、送信部１１８は、スケジュール生成部１２２が生成した納品スケジュール情報を端末装置２へ送信する。
【００３３】
次に、本実施の形態に係る着物販売支援システムの動作について図９および図１０を参照しながら説明する。まず、仕立業者が、小売店から預かった反物Ｔを反物用スキャナ３にセットし、預かった反物Ｔに対応する属性情報と預かった反物Ｔから作製される着物の用途情報および着用季節情報とを着物販売支援装置１へ入力する操作を行う。そうすると、着物販売支援装置１は、反物用スキャナ３により反物Ｔの全体画像を撮像する（ステップＳ１）。反物用スキャナ３により撮像された反物Ｔの一端から他端までの全体画像は、着物販売支援装置１の主記憶部１２に記憶される。
【００３４】
次に、着物販売支援装置１は、主記憶部１２が記憶する反物Ｔの全体画像情報から反物Ｔに対応する反物情報を生成する（ステップＳ２）。ここで、着物販売支援装置１は、生成した反物情報を、反物Ｔの属性情報、用途情報および着用季節情報に対応づけて反物ＤＢ１３１に記憶させる。
【００３５】
続いて、着物販売支援装置１は、反物ＤＢ１３１が記憶する反物Ｔの反物情報に基づいて、反物Ｔの反物種別を特定する（ステップＳ３）。着物販売支援装置１は、特定した反物種別を示す反物種別情報を、対応する反物情報に対応づけて反物ＤＢ１３１に記憶させる。
【００３６】
その後、仕立業者へ反物Ｔから作製される着物の閲覧を要求する着物閲覧要求情報が、顧客の端末装置２から着物販売支援装置１へ送信されたとする（ステップＳ４）。ここで、顧客は、例えば端末装置２において仕立業者が提供する着物を閲覧するためのアプリケーションを起動させ、端末装置２の表示部２ａに表示される操作画面を見ながら表示部２ａで着物を閲覧するための操作を行うと、着物閲覧要求情報が、端末装置２から着物販売支援装置１へ送信される。
【００３７】
着物販売支援装置１が端末装置２から着物閲覧要求情報を受信すると、顧客の身長、身体の各部分のサイズ等の情報を顧客に要求するための顧客情報要求情報が、着物販売支援装置１から端末装置２へ送信される（ステップＳ５）。端末装置２は、顧客情報要求情報を受信すると、顧客に、顧客のサイズ情報、属性情報、用途情報、着用季節情報等の顧客情報を入力するための顧客情報入力画面を表示部２ａに表示させる（ステップＳ６）。そして、顧客が、端末装置２の表示部２ａに顧客情報入力画面が表示された状態で、顧客情報を入力する操作を行った後、顧客情報の入力を完了させるための操作を行ったとする。そうすると、入力された顧客情報が、端末装置２から着物販売支援装置１へ送信される（ステップＳ７）。
【００３８】
着物販売支援装置１は、端末装置２から顧客情報を受信すると、顧客情報に含まれる顧客のサイズ情報、属性情報、用途情報、着用季節情報に基づいて、少なくとも１つの反物Ｔに対応する反物情報を選出する（ステップＳ８）。次に、着物販売支援装置１は、選出した反物情報に対応付けられた反物種別に基づいて、反物Ｔの裁断位置を決定するとともに（ステップＳ９）、反物Ｔの縫製位置を決定する（ステップＳ１０）。具体的には、着物販売支援装置１は、反物情報に含まれる全体画像情報が示す反物Ｔの全体画像における裁断位置の座標と縫製位置の座標とを決定する。そして、着物販売支援装置１は、決定した裁断位置を示す裁断位置情報と縫製位置を示す縫製位置情報とを、主記憶部１２に記憶させる。
【００３９】
続いて、着物販売支援装置１は、顧客のサイズ情報に基づいて、縫製位置を修正する（ステップＳ１１）。具体的には、着物販売支援装置１は、顧客のサイズ情報に基づいて、反物Ｔの全体画像における縫製位置の座標を修正する。
【００４０】
その後、着物販売支援装置１は、反物Ｔの反物情報、裁断位置情報および縫製位置情報に基づいて、反物Ｔから着物を作製した場合の着物のイメージを示す着物イメージ情報を生成する（ステップＳ１２）。この着物イメージ情報には、反物情報に含まれる反物識別情報が含まれる。次に、生成された着物イメージ情報が、着物販売支援装置１から端末装置２へ送信される（ステップＳ１３）。端末装置２は、着物販売支援装置１から着物イメージ情報を受信すると、受信した着物イメージ情報が示す着物イメージ画像を表示部２ａに表示させる（ステップＳ１４）。
【００４１】
ここで、顧客が、端末装置２の表示部２ａに表示された着物イメージ画像を閲覧して、例えば他の属性情報、用途情報、着用季節情報に対応する反物Ｔの着物イメージ画像の閲覧を希望し、表示部２ａに表示される着物イメージ画像を変更するための操作を行ったとする。この場合、他の着物イメージ情報の送信を要求する変更要求情報が、端末装置２から着物販売支援装置１へ送信される（ステップＳ１５）。変更要求情報には、例えば顧客が新たに選択した属性情報、用途情報、着用季節情報等が含まれる。
【００４２】
着物販売支援装置１は、端末装置２から変更要求情報を受信すると、変更要求情報に含まれる属性情報、用途情報、着用季節情報に基づいて、少なくとも１つの反物Ｔに対応する反物情報を選出する（ステップＳ１６）。次に、着物販売支援装置１は、選出した反物情報に対応付けられた反物種別に基づいて、反物Ｔの裁断位置を決定するとともに（ステップＳ１７）、反物Ｔの縫製位置を決定する（ステップＳ１８）。続いて、着物販売支援装置１は、図１０に示すように、顧客のサイズ情報に基づいて、縫製位置を修正する（ステップＳ１９）。その後、着物販売支援装置１は、反物Ｔの反物情報、裁断位置情報および縫製位置情報に基づいて、反物Ｔから着物を作製した場合の着物のイメージを示す着物イメージ情報を生成する（ステップＳ２０）。次に、生成された着物イメージ情報が、再び、着物販売支援装置１から端末装置２へ送信される（ステップＳ２１）。端末装置２は、着物販売支援装置１から着物イメージ情報を受信すると、受信した着物イメージ情報が示す着物イメージ画像を表示部２ａに表示させる（ステップＳ２２）。
【００４３】
ここで、顧客が、端末装置２の表示部２ａに表示された着物イメージ画像を閲覧して、表示部２ａに表示される着物イメージ画像に対応する着物を購買することを決定し、その着物を発注するための操作を行ったとする。この場合、表示部２ａに表示される着物イメージ画像に対応する着物を発注する発注情報が、端末装置２から着物販売支援装置１へ送信される（ステップＳ２３）。発注情報には、例えば表示部２ａに表示される着物イメージ画像に対応する着物イメージ情報に含まれる反物Ｔの反物識別情報が含まれる。
【００４４】
着物販売支援装置１は、端末装置２から発注情報を受信すると、仕立業者における発注情報に対応する反物Ｔの在庫の有無を判定する（ステップＳ２４）。ここで、着物販売支援装置１が発注情報に対応する反物Ｔの在庫が無いと判定すると、各小売店へ反物Ｔの在庫の有無を確認する在庫確認情報が、着物販売支援装置１から各小売店が所有する端末装置４へ送信される（ステップＳ２５）。一方、各小売店が所有する端末装置４は、在庫確認情報を受信すると、各小売店（第２拠点）における反物Ｔの在庫状況を示す在庫情報（第２在庫情報）を生成する（ステップＳ２６）。そして、生成された在庫情報が、端末装置４から着物販売支援装置１へ送信される（ステップＳ２７）。
【００４５】
着物販売支援装置１は、端末装置４から在庫情報を受信すると、受信した在庫情報に基づいて、反物Ｔから作製される着物の顧客への納品スケジュールを示す納品スケジュール情報を生成する（ステップＳ２８）。続いて、生成された納品スケジュール情報が、着物販売支援装置１から端末装置２へ送信される（ステップＳ２９）。端末装置２は、納品スケジュール情報を受信すると、納品スケジュール情報が示す、発注情報に対応する着物の納品スケジュールを表示部２ａに表示させる（ステップＳ３０）。これにより、顧客は、端末装置２の表示部２ａに表示される納品スケジュールを確認することで、発注した着物が手元に届くまでのスケジュールを把握することができる。
【００４６】
次に、本実施の形態に係る着物販売支援装置１が実行する着物販売支援処理について図１１および図１２を参照しながら説明する。この着物販売支援処理は、例えば仕立業者に属するユーザが着物販売支援装置１へ電源を投入したことを契機として開始される。ここでは、反物ＤＢ１３１が、既に、反物用スキャナ３により撮像して得られた複数の反物Ｔについての反物情報と、複数の反物情報それぞれに対応する属性情報、用途情報、着用季節情報、サイズ情報および在庫情報と、を記憶しているものとする。
【００４７】
まず、反物種別特定部１１２は、反物情報生成部１１１により新たな反物情報が生成されたか否かを判定する（ステップＳ１０１）。ここで、反物情報生成部１１１は、新たな反物情報を生成すると、生成した反物情報を、それに対応する属性情報、用途情報、着用季節情報、サイズ情報および在庫情報に対応づけて反物ＤＢ１３１に記憶させる。反物種別特定部１１２が、新たな反物情報が生成されていないと判定すると（ステップＳ１０１：Ｎｏ）、後述のステップＳ１０３の処理が実行される。
【００４８】
一方、反物種別特定部１１２は、新たな反物情報が生成されたと判定すると（ステップＳ１０１：Ｙｅｓ）、反物情報に含まれる反物Ｔの全体画像を構成する複数の画素それぞれの画素値に基づいて、反物種別を特定する（ステップＳ１０２）。反物種別特定部１１２は、特定した反物種別を示す反物種別情報を、反物ＤＢ１３１が既に記憶している反物情報に対応づけて反物ＤＢ１３１に記憶させる。
【００４９】
次に、顧客情報取得部１１３は、端末装置２から着物閲覧要求情報を受信したか否かを判定する（ステップＳ１０３）。顧客情報取得部１１３が着物閲覧要求情報を受信していないと判定すると（ステップＳ１０３：Ｎｏ）、再びステップＳ１０１の処理が実行される。
【００５０】
一方、顧客情報取得部１１３は、着物閲覧要求情報を受信したと判定すると（ステップＳ１０３：Ｙｅｓ）、顧客情報の送信を要求する顧客情報要求情報を端末装置２へ送信して（ステップＳ１０４）、端末装置２から顧客情報を取得する（ステップＳ１０５）。
【００５１】
続いて、反物選出部１１４は、端末装置２から取得した顧客情報に含まれる顧客のサイズ情報、属性情報、用途情報、着用季節情報に基づいて、少なくとも１つの反物Ｔに対応する反物情報を選出する（ステップＳ１０６）。
【００５２】
その後、裁断位置決定部１１５は、裁断縫製ＤＢ１３２が記憶する裁断位置情報を参照して、選出した反物情報に対応付けられた反物種別に基づいて、反物Ｔの裁断位置を決定する（ステップＳ１０７）。ここで、裁断位置決定部１１５は、決定した裁断位置に基づいて、反物Ｔの状態における複数のパーツそれぞれの座標情報を生成してパーツ着物対応関係ＤＢ１３３に記憶させる。
【００５３】
次に、縫製位置決定部１１６は、裁断縫製ＤＢ１３２が記憶する縫製位置情報を参照して、選出した反物情報に対応付けられた反物種別に基づいて、反物Ｔの縫製位置を決定する（ステップＳ１０８）。続いて、縫製位置決定部１１６は、顧客情報に含まれるサイズ情報に基づいて、決定した縫製位置を修正する（ステップＳ１０９）。ここで、縫製位置決定部１１６は、決定した裁断位置に基づいて、反物Ｔの状態における複数のパーツそれぞれの座標情報に対応する、着物の状態における複数のパーツそれぞれの座標情報を生成してパーツ着物対応関係ＤＢ１３３に記憶させる。
【００５４】
その後、着物イメージ生成部１１７は、少なくとも１つの反物情報それぞれに対応する反物から着物を作製した場合の着物のイメージを示す着物イメージ情報を生成する（ステップＳ１１０）。ここで、着物イメージ生成部１１７は、パーツ着物対応関係ＤＢ１３３が記憶する反物Ｔの状態での複数のパーツそれぞれの座標情報と着物の状態での複数のパーツそれぞれの座標情報との対応関係を示す情報に基づいて、着物イメージ情報を生成する。この反物Ｔの状態での複数のパーツそれぞれの座標情報と着物の状態での複数のパーツそれぞれの座標情報との対応関係を示す情報は、裁断位置決定部１１５により決定された裁断位置および縫製位置決定部１１６により決定された縫製位置を反映する情報である。また、着物イメージ生成部１１７は、生成した着物イメージ情報を着物イメージＤＢ１３４に記憶させる。
【００５５】
次に、送信部１１８は、着物イメージＤＢ１３４が記憶する着物イメージ情報を取得し、取得した着物イメージ情報を端末装置２へ送信する（ステップＳ１１１）。続いて、発注情報取得部１１９は、予め設定された期間内に端末装置２から発注情報を受信したか否かを判定する（ステップＳ１１２）。発注情報取得部１１９が発注情報を受信しないと判定すると（ステップＳ１１２：Ｎｏ）、顧客情報取得部１１３が、予め設定された期間内に端末装置２から変更要求情報を受信したか否かを判定する（ステップＳ１１３）。
【００５６】
顧客情報取得部１１３が変更要求情報を受信したと判定すると（ステップＳ１１３：Ｙｅｓ）、再びステップＳ１０６の処理が実行される。この場合、反物選出部１１４は、端末装置２から取得した変更要求情報に含まれる顧客の属性情報、用途情報、着用季節情報に基づいて反物情報を選出する。一方、顧客情報取得部１１３が変更要求情報を受信しないと判定すると（ステップＳ１１３：Ｎｏ）、再びステップＳ１０１の処理が実行される。
【００５７】
また、発注情報取得部１１９が、ステップＳ１１２において、発注情報を受信したと判定すると（ステップＳ１１２：Ｙｅｓ）、在庫判定部１２０が、仕立業者における発注情報に対応する反物Ｔの在庫の有無を判定する（ステップＳ１１４）。また、発注情報取得部１１９は、取得した発注情報を顧客ＤＢ１３５に記憶させる。在庫判定部１２０が、仕立業者において発注情報に対応する反物Ｔの在庫が有ると判定すると（ステップＳ１１４：Ｙｅｓ）、後述するステップＳ１１７の処理が実行される。一方、在庫判定部１２０が、仕立業者において発注情報に対応する反物Ｔの在庫が無いと判定すると（ステップＳ１１４：Ｎｏ）、在庫情報取得部１２１が、小売点での反物Ｔの在庫を確認するための在庫確認情報を端末装置４へ送信し（ステップＳ１１５）、端末装置４から在庫情報を取得する（ステップＳ１１６）。
【００５８】
続いて、スケジュール生成部１２２は、仕立業者における反物Ｔの在庫情報または在庫情報取得部１２１が取得した在庫情報に基づいて、反物Ｔから作製される着物の顧客への納品スケジュールを示す納品スケジュール情報を生成する（ステップＳ１１７）。その後、送信部１１８は、スケジュール生成部１２２が生成した納品スケジュール情報を端末装置２へ送信する（ステップＳ１１８）。次に、再びステップＳ１０１の処理が実行される。
【００５９】
以上説明したように、本実施の形態に係る着物販売支援装置１によれば、裁断位置決定部１１５が、反物Ｔの柄の種別である反物種別に基づいて、反物Ｔから着物を作製する場合の反物Ｔの裁断位置を決定し、縫製位置決定部１１６が、前述の反物種別に基づいて、反物Ｔから着物を作製する場合の反物Ｔの縫製位置を決定する。これにより、反物Ｔの全体画像から反物の柄の種別に基づいて、その反物Ｔの裁断位置および縫製位置が決まるので、ユーザ自らが反物Ｔの柄を確認しながらその反物Ｔの裁断位置および縫製位置を決定する作業が省かれる。従って、ユーザの作業負担が軽減されるので、その分、ユーザの利便性が向上する。
【００６０】
また、本実施の形態に係る反物種別特定部１１２は、反物情報に含まれる反物Ｔの全体画像を構成する複数の画素それぞれの画素値に基づいて、反物種別を特定する。具体的には、反物種別特定部１１２は、反物Ｔの全体画像を構成する複数の画素それぞれの画素値の標準偏差に基づいて、反物種別を特定する。これにより、反物種別を精度良く特定することができるので、生成される着物イメージ情報が、顧客のニーズを忠実に反映したものとすることができる。
【００６１】
更に、本実施の形態に係る着物販売支援装置１では、着物イメージ生成部１１７が、反物情報と、裁断位置決定部１１５が決定した裁断位置と、縫製位置決定部１１６が決定した縫製位置と、に基づいて、反物情報に対応する反物Ｔから着物を作製した場合の着物のイメージを示す着物イメージ情報を生成する。これにより、顧客は、複数種類の反物Ｔから作製される着物それぞれのイメージを短時間で閲覧することができるので、顧客の着物の選択余地を広げることができる。
【００６２】
また、本実施の形態に係る着物販売支援装置１では、反物選出部１１４が、顧客の嗜好を示す属性情報、着物の用途情報および着用季節情報に基づいて、反物情報を選出する。これにより、顧客のニーズをより細かく反映した着物イメージ情報を提供することができる。
【００６３】
更に、本実施の形態に係る着物販売支援装置１では、スケジュール生成部１２２が、仕立業者における在庫情報と、各小売店における在庫情報と、に基づいて、着物の発注元の顧客への着物の納品スケジュールを生成する。これにより、顧客は着物の納品スケジュールを把握することができるので、顧客の利便性を高めることができる。
【００６４】
以上、本発明の実施の形態について説明したが、本発明は前述の実施の形態の構成に限定されるものではない。例えば、各小売店が所有する端末装置４に反物用スキャナが接続されている場合、着物販売支援装置１が、端末装置４から反物の全体画像情報を取得するようにしてもよい。
【００６５】
実施の形態では、裁断縫製ＤＢ１３２が、予め特徴的が図柄を含む反物の裁断位置情報を反物種別情報に対応づけて記憶している例について説明した。但し、これに限らず、例えば、裁断位置決定部が、特徴的な図柄を含む反物の反物情報に含まれる反物の全体画像情報について画像解析を実行することにより反物における特徴的な図柄の位置を特定し、特定した図柄の位置に基づいて、裁断位置を決定する構成であってもよい。
【００６６】
実施の形態において、反物種別特定部１１２が、シミが有る反物Ｔについてその全体画像からシミのある位置を特定するものであってもよい。そして、裁断位置決定部１１５が、反物種別特定部１１２が特定したシミの位置に基づいて、反物Ｔの裁断位置を決定するものであってもよい。或いは、縫製位置決定部１１６が、反物種別特定部１１２が特定したシミの位置に基づいて、反物Ｔを裁断して得られる各パーツの縫製位置を決定するものであってもよい。
【００６７】
また、本発明に係る着物販売支援装置１の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭ(Compact Disc Read Only Memory)等）に格納して配布し、当該プログラムをコンピュータシステムにインストールすることにより、上述の処理を実行する着物販売支援装置１を構成してもよい。
【００６８】
また、コンピュータにプログラムを提供する方法は任意である。例えば、プログラムは、通信回線の掲示版（ＢＢＳ（Bulletin Board System））にアップロードされ、通信回線を介してコンピュータに配信されてもよい。そして、コンピュータは、このプログラムを起動して、ＯＳ(Operating System)の制御の下、他のアプリケーションと同様に実行する。これにより、コンピュータは、上述の処理を実行する着物販売支援装置１として機能する。
【００６９】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００７０】
本発明は、小売店の在庫となっている反物から着物を作製して顧客に販売する事業への適用に好適である。
【符号の説明】
【００７１】
１：着物販売支援装置、２，４：端末装置、２ａ：表示部、３：反物用スキャナ、１１：ＣＰＵ、１２：主記憶部、１３：補助記憶部、１４：入力部、１５：インタフェース、１６：通信部、１９：バス、１１１：反物情報生成部、１１２：反物種別特定部、１１３：顧客情報取得部、１１４：反物選出部、１１５：裁断位置決定部、１１６：縫製位置決定部、１１７：着物イメージ生成部、１１８：送信部、１１９：発注情報取得部、１２０：在庫判定部、１２１：在庫情報取得部、１２２：スケジュール生成部、１３１：反物ＤＢ、１３２：裁断縫製ＤＢ、１３３：パーツ着物対応関係ＤＢ、１３４：着物イメージＤＢ、１３５：顧客ＤＢ、ＮＴ：ネットワーク、Ｐ１，Ｐ２：袖、Ｐ３，Ｐ６：前身頃、Ｐ４，Ｐ５：後身頃、Ｐ７，Ｐ８：衽、Ｐ９：衿、Ｐ１０：共衿、ＰＡ１，ＰＡ２，ＰＡ３：柄、ＰＯ１，ＰＯ２：肩山、ＳＥ１：背縫部分、ＳＥ２１、ＳＥ２２：脇縫部分、ＳＥ３１，Ｓ３２：衽縫部分、ＳＥ４：衽下縫部分、ＳＥ５：裾縫部分、ＳＥ６：衿付け縫部分
【図１】
2020052729.tif 000003
【図２】
2020052729.tif 000004
【図３】
2020052729.tif 000005
【図４】
2020052729.tif 000006
【図５】
2020052729.tif 000007
【図６】
2020052729.tif 000008
【図７】
2020052729.tif 000009
【図８】
2020052729.tif 000010
【図９】
2020052729.tif 000011
【図１０】
2020052729.tif 000012
【図１１】
2020052729.tif 000013
【図１２】
2020052729.tif 000014